(57)【特許請求の範囲】
【請求項１】
絶縁ハウジング（３）の少なくとも１列のコンタクト受容キャビティ（８）内に配置された複数の電気コンタクト（７）を有し、該電気コンタクト（７）のうち少なくとも１個は、前記ハウジング（３）の嵌合端（２）から遠く離隔し、該嵌合端（２）に近い他の前記電気コンタクト（７）より遅く相手方のコネクタのコンタクトと接触するようにした電気コネクタにおいて、
同一列内の複数の前記電気コンタクト（７）は互いに同一であり、且つ挿入工具に当接可能なマーカー面（１８）をそれぞれ有し、
前記ハウジング（３）は、前記嵌合端（２）とは反対側のコンタクト受容側（４）に、前記コンタクト受容キャビティ（８）の延びる方向に沿って異なる位置に前記挿入工具に当接可能な第１及び第２のマーカー面（２１，２３）を有し、
前記電気コンタクト（７）の前記マーカー面（１８）を前記ハウジング（３）の前記第１又は第２のマーカー面（２１，２３）に選択的に整列させることにより、複数の前記電気コンタクト（７）を前記コンタクト受容キャビティ（８）の延びる方向に沿って異なる深さに配置したことを特徴とする電気コネクタ。
【請求項２】
前記電気コンタクト（７）は、前記コンタクト受容キャビティ（８）のコンタクト受容前部（１４）から引込んだ前端（１２）を有していることを特徴とする請求項１記載の電気コネクタ。
【発明の詳細な説明】
【技術分野】
本発明は、夫々コネクタの嵌合端近傍、及び嵌合端から離れて互い違いになっている複数の電気コンタクトを有する電気コネクタに関する。
【背景技術】
米国特許第５０８５６０１号は逆向きに湾曲した接触面を有し、他の相手方のコネクタの接触フィンの対向側に接触するコンタクトを有するコネクタを開示している。接触面は、コネクタの嵌合端から夫々近くに、また遠くにあり、接触フィンと係合する間の挿入力を低減している。
特開平２−９８０７９号公報には２列式のコネクタが開示されており、その中で各列の第２コンタクトは、コネクタ前端から引っ込んだ接触部を有し、回路板の如き相手方のコネクタ物品の挿入力を低減している。
米国特許第４０８４８７５号には、１個の電気コネクタの中に混在する信号用及び電源用コンタクトが開示されており、信号用コンタクトは電源用コンタクトよりコネクタの嵌合端から遠くに離れており、電源用コンタクトが相手方コネクタと嵌合した後、他方の相手方のコネクタと嵌合する。このコネクタは、コネクタの嵌合端から異なる間隔を有する、複数のコンタクト受容キャビティの組合せにより構成される。異なるコンタクト間隔の組合わせの為にはハウジングを別体に製造することが必要とされる。嵌合端から異なる間隔を有するキャビティの１つの組合わせで製造されたハウジングは、変更してコンタクト間隔の異なる組合わせに適用することはできない。
コンタクトは、電気コネクタの対応するキャビティに組込まれる前に異なる長さに製造される。異なる長さのコンタクトにより、コネクタの嵌合端から異なる位置に、互い違いになったコンタクトの組合わせが得られる。同一のコンタクトの製造コストと比較して互いに寸法の異なるコンタクトを製造するコストは高いものとなる。
【発明の開示】
本発明によれば、電気コネクタ内の共通列内の同じコンタクトは、コネクタの嵌合端から異なる距離に異なるコンタクトの組合わせにすることができる。
本発明の他の面では、電気コネクタはコンタクトのうち少なくとも１つはハウジングの嵌合端から遠く、嵌合端に近い各他のコンタクトより遅く、他の相手方コネクタと嵌合する電気コンタクトを有する。嵌合端から遠いコンタクトは、各近いコンタクトが嵌合解除される前に相手方コネクタと嵌合解除される。嵌合端から遠いコンタクトは、接近したコンタクトの重さと同じ重さと形状である。
本発明の実施形態によると、絶縁ハウジングには同じコンタクト受容キャビティが構成されており、同じ大きさと形状のコンタクトがキャビティ内で相互に変えることができ、またコンタクトキャビティのいずれか１つは、他のコンタクト受容キャビティの中のコンタクトよりもハウジングの嵌合端から遠いコンタクトを受容でき、且つコンタクト受容キャビティのいずれか１つはハウジングの嵌合端から等しく間隔を空けた同じコンタクトを受容するようになっている。
本発明の実施形態によると、少なくとも２つのマーカー面がハウジングの軸に沿って異なる深さに付与されており、同じ形状のコンタクトには対応するマーカー面が提供されるが、それらは、ハウジングに沿うコンタクトの挿入深さによるハウジングのマーカー面のうち１つに対応して整列している。
【発明を実施するための形態】
本発明の実施形態について添付図を参照して説明する。
図１、図７、図８及び図１０を参照して、電気コネクタ１はその絶縁性のハウジング３に、コネクタ１の前部の嵌合端２と、後端４と、図示しない回路板に取り付ける為のベース５とを有する。突出した整列ペグ６はベース５を越えて延び、図示しない回路板の表面の整列開口に挿入される。コネクタ１は更に、ハウジング３のコンタクト受容前部９内の対応するコンタクト受容キャビティ８に第１の電気コンタクト７を有する。
コンタクト７及びキャビティ８は、ハウジング３内に４列１０、１１のコンタクト７及びキャビティ８として配置される。これらはコンタクト７の２つの外側列１０とコンタクト７の２つの内側列１１である。コンタクト７の共通列に沿うコンタクト７は、製造されたとき、寸法、形状、及び重さが同じである。このようにコネクタ１のコンタクト７が１列に構成されていても、コンタクト７が複数列に構成されていても、同じ列のコンタクト７は、寸法、形状及び重さが同じに製造されている。図５に示すコンタクト７は列１０のいずれか１つに取り付けられる。図６に示すコンタクト７は、図５に示すコンタクト７と比較して寸法、形状が異なり、列１１のいずれか１つに取り付けられる。キャビティ８の同じ列内では、コンタクト７は相互に替えることが可能である。
コンタクト７は、一体に打ち抜き形成して製造した金属構造体である。キャビティ８の同じコンタクト受容前部１４に沿って嵌合端２の方へ突出する同じ嵌合接触部１３上にコンタクト７の前端１２がある。コンタクト７と一体のターミナル１５は、ハウジング３の後端４から外方に突出して、ベース５が取り付けられる回路板を貫通する図示しない開口に挿入される。コンタクト７は、嵌合端２の方へ第１方向に前方に延びる。コンタクト７は、ハウジング３の後端４の方へ延び、永久的な横方向への曲げ部１６が形成され、この曲げ部１６は、このコンタクト７の残りの部分からオフセットしたターミナル１５の方へ延びる。
図５、図６及び図１０に示す如く、各コンタクト７に沿う傾斜したバーブ１７が、コンタクト７の厚み面に沿って整列している。これらのバーブ１７は、対応するキャビティ８の内側に対し食い込む。コンタクト７が、嵌合端２の方ヘキャビティ８に沿って前方へ移動すると、バーブ１７がキャビティ８の内側と係合してコンタクト７をキャビティ８の内側位置に保持する。バーブ１７は、コンタクト７の更なる挿入に抗する抵抗力を提供するが、コンタクト７に力を加えることによりその抵抗力に勝ってコンタクト７は前方に移動する、全てのコンタクト７がキャビティ８に沿って同じように離隔しているとすれば、コンタクト７の前端１２は、コネクタ１の嵌合端２から等しく離隔し、且つハウジング３のコンタクト受容前部９に沿って等しく離隔して受容される。
図１０を参照して、コンタクト７のバーブ１７はキャビティ８の内部と係合して抵抗力を付与し、キャビティ８に沿ってコンタクト７が更に挿入されないようにしている。同じ列のコンタクト７は、製造されたとき同じ寸法、形状及び重さである。コンタクト７のうち少なくとも１個が、同じ重さのコンタクト７のうち少なくとも１個よりハウジング３の嵌合端２から遠くへ離れている。嵌合端２から遠くへ離隔したコンタクト７は同じ列１０又は１１の前述の他のコンタクト７の各々の形状が同じである。
コネクタ３のコンタクト７は、コネクタ３が嵌合する図示しない他の電気コネクタの図示しない相手方コンタクトと、例えば、相手方コネクタとの差込み接続により嵌合する、嵌合端２より更に後退したコンタクト７は、コネクタが図示しない他の相手方のコネクタと夫々嵌合、及び嵌合解除したときに、最後に嵌合し、最初に嵌合解除されるコンタクト７となる。同じ列１０又は１１のキャビティ８は同じであり、キャビティ８に沿って延びるコンタクト７も同じ構成であるから、同じ列内のキャビティ８内でコンタクト７は相互に交換可能である。
図３乃至図６を参照して、各コンタクト７は、突出するフランジ１９にマーカー面１８を形成している。フランジ１９はコンタクト７の厚み面に整列している。フランジ１９は、図示しない挿入工具が係合して、コンタクト７をキャビティ８に沿って移動させる工具受けを形成している。各コンタクト７はキャビティ８に沿って、挿入され、後部から前部へ移動するよう構成されている。図３及び図４のようにコンタクト７がキャビティ８に沿って挿入されると、フランジ１９はキャビティ８を横切って架橋し、図９のように対応するキャビティ８を横切って架橋する凹部２０に受容され、キャビティ８の後部に面する。
図１、図２、及び図４を参照して、ハウジング３の第１マーカー面２１は、対応するキャビティ８に隣接する後向きの棚２２の上にある。対応するキャビティ８内の各コンタクト７は、そのマーカー面１８が、ハウジング３の第１マーカー面２１に整列するまでキャビティ８に沿って挿入され移動されるよう構成される。図４は、列１０内にあるコンタクト７、及び列１１内の他のコンタクト７を、互いに整列したマーカー面１８、２１を共に示す。
図１、図２及び図３を参照して、ハウジング３の第２マーカー面２３は、対応するキャビティ８に隣接する後向きの第２棚２４上にある。対応するキャビティ８内の各コンタクト７は、コンタクト７のマーカー面１８がハウジング３の第２マーカー面２３に整列するまで、キャビティ８に沿って挿入され移動されるよう構成される。図３は列１０内のコンタクト７と列１１内の他のコンタクト７を、互いに整列したマーカー面１８、２３と共に示す。第１マーカー面２１及び第２マーカー面２３は後部から前部へ軸線の異なる深さに位置している。
各キャビティに沿って各コンタクト７の挿入深さを決める為に、各コンタクト７は、キャビティ８に沿って後部から前部へ挿入されて、コンタクト７のマーカー面１８がハウジングの後向きマーカー面２１、２３の対応する１つと位置合わせされる。ハウジング３の前部位置にある各コンタクト７は、第１マーカー面２１と整列されたマーカー面１８を有する。後方、即ち引込んだ位置の各コンタクト７は、第２マーカー面２３と整列したマーカー面１８を有する。
例えば、コネクタ１の実施形態は、コンタクト位置番号１、３６から４０、４１から４７、及び７４から８０でキャビティ８内の前方位置にあるコンタクト７を有する。コンタクト７は、図示しない挿入工具の真直な平面を、コンタクト７のマーカー面１８に係合させて、ハウジングの対応するマーカー面２１とマーカー面１８が整列するまで、キャビティ８に沿って押圧されて、１、３６、４１及び７６の番号のついたコンタクト受容キャビティ８に沿って挿入される。挿入工具の真直な表面はマーカー面１８と２１の間の空間を横切って架橋し、マーカー面２１と重なって当接してコンタクト７が挿入方向に移動するのを規制する。
追加のコンタクト７は、そのマーカー面１８が対応するマーカー面２３に整列するまで、キャビティ８に挿入される。それにより、追加のコンタクト７はコンタクト位置１、３６、４１及び７６で前方に位置するコンタクト７に対し相対的に後方に位置する。例えば、図示しない挿入工具の真直な表面は、追加のコンタクト１８のマーカー面１８及び対応するマーカ面２３に突き当たる。挿入工具の真直な表面は対応するマーカー面２３と重なって当接し、挿入工具の移動、及び追加のコンタクト７の挿入方向への移動を制限する。更に、例えば、コネクタ１の他の実施形態は、単に後方位置でコンタクト位置２、３、４及び３５にあるコンタクト７を有する。
マーカー面１８が対応するマーカー面２１及び２３と真直な共平面に整列される実施形態について説明したが、マーカー面１８は対応するマーカー面２１及び２３と任意に整列させて、少なくとも１個のコンタクト７をハウジングの後方位置に、少なくとも１個のコンタクト７を前方位置に位置決めしてもよい。
本発明の効果は、ハウジング３の列１０、又は列１１の同じ電気コンタクト７が、ハウジング３に沿って異なる位置に離隔し、またコネクタ１の嵌合端２から異なる位置に離隔していることにある。
【図面の簡単な説明】
【図１】コネクタの斜視図である。
【図２】図１に示すコネクタの一部の斜視図である。
【図３】部品を切断し断面で示す、第１位置に沿う電気コネクタの拡大断面図である。
【図４】第２位置に沿う、図１と同様の断面図である。
【図５】図１に示すコネクタの第１電気コンタクトの斜視図である。
【図６】図１に示すコネクタの第２電気コンタクトの斜視図である。
【図７】図１に示すコネクタの絶縁ハウジングの部分平面図である。
【図８】図５に示すハウジングの部分正面図である。
【図９】図５に示すハウジングの部分底面図である。
【図１０】部品が断面され、分離された、図１に示すコネクタの一部の部分図である。
【図１１】図７に示すハウジングの一部の部分図である。
【図１】
0003798429.tif 000002
【図２】
0003798429.tif 000003
【図３】
0003798429.tif 000004
【図４】
0003798429.tif 000005
【図５】
0003798429.tif 000006
【図６】
0003798429.tif 000007
【図７】
0003798429.tif 000008
【図８】
0003798429.tif 000009
【図９】
0003798429.tif 000010
【図１０】
0003798429.tif 000011
【図１１】
0003798429.tif 000012